(57)【特許請求の範囲】
【請求項１】
複数のサブコードフレームで構成されるパーティションを複数有して成る試し書き領域が設けられる光学的記録媒体に対してレーザビームを照射するレーザ照射手段と、
上記レーザ照射手段を駆動するレーザ駆動手段と、
上記レーザ照射手段を上記光学的記録媒体に対して相対的に移動させる移動手段と、
上記光学的記録媒体内の複数のサブコードフレームから成り、上記パーティションを複数に分割して規定されるサブパーティション内の各サブコードフレーム単位内で、レーザ駆動パワーを異なる複数のレーザ駆動パワーとし、上記レーザ照射手段により、上記サブパーティション単位内で該サブパーティション内のサブコードフレームの数より多くの異なるレーザ駆動パワーで試し書きデータが記録されるように上記レーザ駆動手段及び上記移動手段を制御する制御手段とを備え、
上記光学的記録媒体の上記サブパーティション内に記録された試し書きデータを再生することにより最適のレーザ駆動パワーを決定する
ことを特徴とするデータ記録装置。
【請求項２】
上記試し書き領域は、複数のサブコードフレームで構成されるパーティションを複数有して成り、上記光学的記録媒体は、さらに上記試し書き領域の複数のパーティションにそれぞれ対応する複数のサブ領域から成るカウント領域を備え、
上記制御手段は、上記試し書き領域内のあるパーティション内に少しでも試し書きデータが記録される際には、上記試し書きデータが記録されるパーティションに対応する上記カウント領域内のサブ領域に、上記パーティションが使用済みであることを示す識別データを記録するように上記レーザ駆動手段及び上記移動手段を制御することを特徴とする請求項１記載のデータ記録装置。
【請求項３】
上記カウント領域を構成する各サブ領域は、上記１サブコードフレーム分の領域であることを特徴とする請求項２記載のデータ記録装置。
【請求項４】
上記光学的記録媒体から反射されたレーザビームを受光する受光手段と、
上記受光手段からの出力に応じて、上記カウント領域の識別データの記録の有無を検出する検出手段とをさらに有し、
上記制御手段は、上記検出手段からの検出結果に基づいて、上記試し書き領域の未記録であるサブパーティションに試し書きデータを記録するように上記レーザ駆動手段及び上記移動手段を制御することを特徴とする請求項２記載のデータ記録装置。
【請求項５】
上記制御手段は、上記試し書き領域内のあるサブコードフレームへの試し書きデータの記録に先立って、上記検出手段により、上記サブコードフレームを含むパーティションに対応する上記カウント領域内のサブ領域に識別データが記録されているか否かを検出させ、上記サブ領域に識別データが記録されていない際には、試し書きデータが記録されるサブコードフレームを含むパーティションに対応するカウント領域内のサブ領域に識別データを記録するように上記レーザ駆動手段及び上記移動手段を制御することを特徴とする請求項４記載のデータ記録装置。
【請求項６】
上記カウント領域内のサブ領域の識別データの記録状態を検出し、上記検出した記録状態に基づいて上記試し書き領域のパーティション内のサブパーティションの使用状況を検出して、上記検出したサブパーティションの使用状況を記憶する記憶手段を備えることを特徴とする請求項２記載のデータ記録装置。
【請求項７】
上記制御手段は、あるサブコードフレームに試し書きデータが記録された後に、上記サブコードフレームを含むパーティションに対応する上記カウント領域内のサブ領域に識別データを記録するように上記レーザ駆動手段及び移動手段を制御することを特徴とする請求項２記載のデータ記録装置。
【請求項８】
上記光学的記録媒体から反射されたレーザビームを受光する受光手段と、
上記受光手段からの出力に基づいて、上記光学的記録媒体にサブコードフレーム単位毎に記録されている同期信号及び上記光学的記録媒体に記録されているデータを再生する再生手段とをさらに有し、
上記制御手段は、上記再生手段からの出力に基づいて、連続する２つの同期信号の間隔の略1/N（Ｎは２以上の整数）の間隔で、レーザ駆動パワーが段階的に変化するように上記レーザ駆動手段を制御することを特徴とする請求項１記載のデータ記録装置。
【請求項９】
上記再生手段から得られる同期信号は、上記光学的記録媒体上に予め記録された絶対番地情報信号内に含まれることを特徴とする請求項８記載のデータ記録装置。
【請求項１０】
上記制御手段は、上記再生手段から得られた同期信号のタイミングに応じて、レーザ駆動パワーの可変タイミングをリセットすることを特徴とする請求項８記載のデータ記録装置。
【請求項１１】
上記光学的記録媒体から反射されたレーザビームを受光する受光手段と、
上記受光手段からの上記試し書き領域に記録された試し書きデータの出力に基づいて、上記試し書きデータのアシンメトリ値を検出するアシンメトリ検出手段とをさらに有し、
上記制御手段は、上記光学的記録媒体にデータを記録する際には、上記アシンメトリ検出手段からの出力に基づいて上記レーザ駆動手段に与えるレーザ駆動パワーを制御することを特徴とする請求項１記載のデータ記録装置。
【発明の詳細な説明】
技術分野
本発明は、光学的記録媒体にデータ信号を記録するデータ記録装置に関するものである。
背景技術
従来、光学的記録媒体にデータ信号を記録するデータ記録装置には、ディスク状の記録媒体にレーザ光を照射して順次ピットを形成することにより情報を記録し得るようになされた光ディスク装置があり、この光ディスク装置としては、例えば、コンパクトディスクいわゆるCD（Compact Disc）の規格に準拠したCD−Ｒ（CD−Recordable）ドライブ装置がある。
このCD−Ｒドライブ装置で用いられる光ディスクは、強いレーザ光を照射されることにより、予め形成された案内溝であるプリグルーブ間の記録層の光学的性質が変化されて１回だけ情報の記録を行うことができる、いわゆる追記型光ディスクである。
このCD−Ｒドライブ装置で用いられる光ディスクの記録フォーマットを、図１及び図２に示す。この光ディスクには、音声データ等を記録するプログラム領域PGが設けられており、このプログラム領域PGの内周側にはTOC（Table of Contents）を含むリードイン領域LIが設けられ、また、プログラム領域PGの外周側にはリードアウト領域LOが設けられている。さらに、このリードイン領域LIの内周側には、プログラム領域PGの記録状態を記録するプログラム記憶領域PMAと、レーザ駆動パワーを調整するためのパワー制御領域PCAとが設けられている。このパワー制御領域PCAからリードアウト領域LOまでをインフォメーション領域IAという。
この光ディスクの中心をＣとすると、この光ディスクの直径R5は120mm、リードアウト領域LOの最外周までの直径R4は118mm、リードアウト領域LOの最内周までの直径R3は116mmにそれぞれ規定されている。また、プログラム領域PGの最内周までの直径R2は約50mm、リードイン領域LIの最内周までの直径R1は約46mmにそれぞれ規定されている。よって、リードイン領域LIの距離L1は約4mmになる。また、パワー制御領域PCAの最内周までの直径R6は約44.87mmとなっている。
図２に示す光ディスクのリードイン領域LIの開始時間t3及びリードアウト領域LOの開始時間t5は、ATIP（Absolute Time In Pre−groove）と呼ばれる、光ディスク上に予め記録されている絶対番地情報信号から得られる時間である。このリードイン領域LIの開始時間t3を基準として、リードイン領域LIの終了時間t4、プログラム記憶領域PMAの開始時間t2、及びパワー制御領域PCAの開始時間t1がそれぞれ決められている。また、リードイン領域LIの開始時間t3を０分０秒０フレームとして、00:00:00で表すとすると、パワー制御領域PCAの開始時間t1は（t3−00:35:65）、プログラム記憶領域PMAの開始時間t2は（t3−00:13:65）として時系列で表すことができる。尚、リードイン領域LIの終了時間t4は、プログラム領域PGの開始時間から１サブコードフレーム分の時間を引いた時間でもあり、このリードイン領域LIの終了時間t4は99:59:74で表すことができる。
また、パワー制御領域PCAは、図３に示すように、試し書き領域TAとカウント領域CAとから成る。これら試し書き領域TA及びカウント領域CAは、データの記録に先立って行うOPC（Optimum Power Control）動作、即ちレーザ駆動パワーのキャリブレーション動作に使用される領域である。試し書き領域TAは1500サブコードフレーム分の大きさである、カウント領域CAは100サブコードフレーム分の大きさである。尚、上記サブコードフレームは、同期信号、サブコーディング、オーディオデータ、及びパリティから構成される、基準の線速度で1/75秒分のフレームである。
この試し書き領域TAは100領域に分割されており、各分割領域はパーティションと呼ばれる。即ち、試し書き領域TAの１パーティションは15サブコードフレームから成る。カウント領域CAも試し書き領域TAと同様に100領域に分割されており、各分割領域はパーティションと呼ばれる。このカウント領域CAの１パーティションは１サブコードフレーム分の領域となっている。OPC動作では、上記試し書き領域TA及び上記カウント領域CAの各パーティションを単位として行われる。
次に、OPC動作について説明する。このOPC動作では、先ず、カウント領域CA内のパーティションに記録された認識データの記録状態を検出する。即ち、前回のOPC動作によって識別データが記録されたパーティションを検出する。次に、この検出されたカウント領域CAのパーティションに対応する試し書き領域TA内のパーティションを検出することにより、今回のOPC動作で試し書きデータを記録する試し書き領域TA内のパーティションを検出する。そして、そのパーティション内の各サブコードフレーム毎に、図４に示すように記録用のレーザ駆動パワーの出力を順次切り換えながら、メモリから読み出した試し書きデータを記録する。
さらに、異なるレーザ駆動パワーで記録された試し書きデータをそれぞれ再生して得られた各RF信号からアシンメトリ値をそれぞれ検出する。この検出された複数のアシンメトリ値から最適アシンメトリ値を選択して、この最適アシンメトリ値となる試し書きデータを記録したときのレーザ駆動パワーを記録用の最適レーザ駆動パワーとして決定する。この後、上記試し書きデータを記録した試し書き領域TA内のパーティションに対応するカウント領域CA内のパーティションにランダムデータを識別データとして記録する。尚、上記試し書き領域TA及びカウント領域CA内の各パーティションに対するデータの記録においては、光ディスクの内周側から外周側に向かってデータが記録される。
このOPC動作によって、例えば、図３に示すように、カウント領域CA内の３番目のパーティションまで識別データが記録されている場合には、試し書きTA内の３番目のパーティションまでテストデータ、即ち試し書きデータが記録されて使用済みとなっていることが検出される。
このとき、リードイン領域LIの開始時間をTslとし、（Tsl−00:00:00）で表すとすると、カウント領域CAは（Tsl−00:13:25）〜（Tsl−00:15:05）、試し書き領域TAは（Tsl−00:15:05）〜（Tsl−00:35:65）と表され、カウント領域CAの１番目のパーティションは（Tsl−00:13:55）、カウント領域CAの３番目のパーティションは（Tsl−00:13:58）、試し書き領域TAの１番目のパーティションは（Tsl−00:15:35）、試し書き領域TAの３番目のパーティションは（Tsl−00:16:05）と表される。尚、プログラム記憶領域PMAは（Tsl−00:00:00）〜（Tsl−00:13:25）と表され、このプログラム記憶領域PMAにおいて、試し書き領域TA及びカウント領域CAが上述した記録状態のときの、プログラム領域PG内のデータの記録済み領域を表す領域は、（Tsl−00:12:50）〜（Tsl−00:13:25）となる。
このように、カウント領域CA内の各パーティションは、試し書き領域TA内の各パーティションと一対一で対応しており、１回のOPC動作によって試し書き領域TA及びカウント領域CA内の１パーティションずつが使用され、カウント領域CA内のあるパーティションにデータが記録済みであるならば、このパーティションに対応する試し書き領域TA内のパーティションも使用済みであることを示す。
また、データの記録時及び再生時の具体的な信号生成について、以下に説明する。
データ記録時には、記録データにEFM（Eight to Fourteen Modulation）を施すことにより、図５のＡに示すような、論理０及び１の発生確率が等しくなるようにした変調信号B1を生成する。この変調信号B1を基準にしてレーザダイオードからレーザ光が出射され、この変調信号B1の論理レベルに対応して間歇的にレーザ光が光ディスク上に照射される。これにより、プリグルーブ間の記録層に反射率の低い領域、即ちピットが形成される。尚、このときレーザダイオードは高出力で駆動される。
この変調信号B1は、基準周期Ｔを基準にして周期3T〜11Tの範囲でＨレベル及びＬレベルが連続するように生成される。これにより、図５のＢに示すように、順次ピットＰが形成されてデータが記録される。尚、ピットＰの形成されなかった反射率の高い領域をランドと呼ぶ。
また、データ再生時には、低出力でレーザダイオードを駆動して、出射されたレーザ光を光ディスクに照射する。レーザ光が照射された光ディスクからの反射光はフォトディテクタで受光される。この反射光の光量に応じて、図５のＣに示すように信号レベルが変化する再生信号、即ちRF信号が得られる。そして、スライスレベルSLを基準にしてRF信号の信号レベルを検出することにより、図５のＤに示す再生データD1が検出される。
このとき、変調信号B1がEFMにより生成され、論理０及び１の発生確率が等しいので、再生データD1においても論理０及び１の発生確率が等しくなるようにスライスレベルSLを選定する。
これに対して、データ記録時には、レーザダイオードが一定のパワーで駆動されてレーザ光が出射されたとしても、周囲温度の変化及びレーザ波長の変化等に応じてピットの大きさが変化する。
このため、データ記録時には、上述のようにOPC動作において、レーザダイオードの駆動パワーを順次切り換えて、光ディスクの試し書き領域TAに試し書きデータを記録し、この試し書きデータを再生して各レーザ駆動パワーにおけるアシンメトリ値Asyを検出する。このアシンメトリ値Asyは、アシンメトリ検出回路を用いて簡易に検出される。そして、これらの検出したアシンメトリ値Asyの中から予め決められているアシンメトリ値Asyに最も近いアシンメトリ値Asyを選択する。これにより、選択したアシンメトリ値Asyを得た時の駆動パワーがレーザダイオードの駆動パワーの最適値として決定される。
ここで、アシンメトリ値とはピットとランドとの時間平均の比を表す。具体的には、光ディスクから再生されるRF信号は図６に示す波形となり、図５のＤに示す再生データD1に対して論理０及び１の発生確率が等しくなるスライスレベルSLと、再生信号のピークレベル及びボトムレベルとの関係により表される。即ち、アシンメトリ値Asyは、周期11Tのパルス幅の信号のピークレベルX1及びボトムレベルX4と、周期3Tのパルス幅の信号のピークレベルX2及びボトムレベルX3とを用いて、以下に示す（１）式で表すことができる。
0003581368.tif 000002
光ディスクに対してデータを記録する際には、１曲分の音楽データ、即ち１トラック分のデータを単位として、１枚の光ディスクに対して、複数トラック分のデータを１回だけ記録する動作（Disc at once）や、１トラック分のデータ毎に記録を行うトラック追記動作や、１トラック分のデータをいくつかに分割した分割データであるパケットデータを記録する。いわゆるパケットレコーディングを行って１曲分のデータを記録するトラック内追記動作を行う。
上述のように、データ記録を行う際には１回のOPC動作を行う。この１回のOPC動作では、試し書き領域TA内の１つのパーティションを使用する。試し書き領域TA内のパーティションの数は100であるから、１枚の光ディスク上で行うことができるOPC動作は最高100回までである。ここで、１枚の光ディスクに記録することができる最大トラック数は99トラックとなっている。従って、１回だけの記録動作やトラック追記動作を行う場合には、データ記録動作の回数が100回以上になることはないので、OPC動作の回数が最高100回までしかできなくてもデータ記録動作には問題は無い。
ところが、トラック内追記動作においては、１枚の光ディスクの最大トラック数は99トラックであるので、トラック内追記動作でデータ記録を行うときには、データ記録動作の回数は100回以上となる場合がある。しかし、従来のOPC動作を用いたのでは、100回以上のOPC動作を行うことができないので、100回以上のデータ記録動作ではOPC動作を行わずにデータ記録が行われることになり、この記録されたデータの品質は、OPC動作を行って記録されたデータの品質よりも落ちてしまう。
そこで、本発明はこの様な実情に鑑みてなされたものであり、１枚の光ディスクにおいて100回以上のOPC動作を行うことができるデータ記録装置の提供を目的とするものである。
発明の開示
本発明は、上述の目的を達成するために提案されたものであり、本発明に係るデータ記録装置は、複数のサブコードフレームで構成されるパーティションを複数有して成る試し書き領域が設けられる光学的記録媒体に対してレーザビームを照射するレーザ照射手段と、上記レーザ照射手段を駆動するレーザ駆動手段と、上記レーザ照射手段を上記光学的記録媒体に対して相対的に移動させる移動手段と、上記レーザ照射手段により、上記光学的記録媒体内の複数のサブコードフレームから成り、上記パーティションを複数に分割して規定されるサブパーティション内の各サブコードフレーム内で異なる複数のレーザ駆動パワーで試し書きデータが記録されるように上記レーザ駆動手段及び上記移動手段を制御する制御手段とを備えることを特徴とする。
また、上記試し書き領域は、複数のサブコードフレームで構成されるパーティションを複数有して成り、上記光学的記録媒体は、さらに上記試し書き領域の複数のパーティションにそれぞれ対応する複数のサブ領域から成るカウント領域を備え、上記制御手段は、上記試し書き領域内のあるパーティション内に少しでも試し書きデータが記録される際には、上記試し書きデータが記録されるパーティションに対応する上記カウント領域内のサブ領域に、上記パーティションが使用済みであることを示す識別データを記録するように上記レーザ駆動手段及び上記移動手段を制御することを特徴とする。
また、上記カウント領域を構成する各サブ領域は、上記１サブコードフレーム分の領域であることを特徴とする。
また、上記光学的記録媒体から反射されたレーザビームを受光する受光手段と、上記受光手段からの出力に応じて、上記カウント領域の識別データの記録の有無を検出する検出手段とをさらに有し、上記制御手段は、上記検出手段からの検出結果に基づいて、上記試し書き領域の未記録であるサブパーティションに試し書きデータを記録するように上記レーザ駆動手段及び上記移動手段を制御することを特徴とする。
また、上記制御手段は、上記試し書き領域内のあるサブコードフレームへの試し書きデータの記録に先立って、上記検出手段により、上記サブコードフレームを含むパーティションに対応する上記カウント領域内のサブ領域に識別データが記録されているか否かを検出させ、上記サブ領域に識別データが記録されていない際には、試し書きデータが記録されるサブコードフレームを含むパーティションに対応するカウント領域内のサブ領域に識別データを記録するように上記レーザ駆動手段及び上記移動手段を制御することを特徴とする。
また、上記カウント領域内のサブ領域の識別データの記録状態を検出し、上記検出した記録状態に基づいて上記試し書き領域のパーティション内のサブパーティションの使用状況を検出して、上記検出したサブパーティションの使用状況を記憶する記憶手段を備えることを特徴とする請求項２記載のデータ記録装置。
また、上記制御手段は、あるサブコードフレームに試し書きデータが記録された後に、上記サブコードフレームを含むパーティションに対応する上記カウント領域内のサブ領域に識別データを記録するように上記レーザ駆動手段及び移動手段を制御することを特徴とする。
また、上記光学的記録媒体から反射されたレーザビームを受光する受光手段と、上記受光手段からの出力に基づいて、上記光学的記録媒体に所定単位毎に記録されている同期信号及び上記光学的記録媒体に記録されているデータを再生する再生手段とをさらに有し、上記制御手段は、上記再生手段からの出力に基づいて、連続する２つの同期信号の間隔の略1/N（Ｎは２以上の整数）の間隔で、レーザ駆動パワーが段階的に変化するように上記レーザ駆動手段を制御することを特徴とする。
また、上記再生手段から得られる同期信号は、上記光学的記録媒体上に予め記録された絶対番地情報信号内に含まれることを特徴とする。
また、上記制御手段は、上記再生手段から得られた同期信号のタイミングに応じて、レーザ駆動パワーの可変タイミングをリセットすることを特徴とする。
また、上記光学的記録媒体から反射されたレーザビームを受光する受光手段と、上記受光手段からの上記試し書き領域に記録された試し書きデータの出力に基づいて、上記試し書きデータのアシンメトリ値を検出するアシンメトリ検出手段とをさらに有し、上記制御手段は、上記光学的記録媒体にデータを記録する際には、上記アシンメトリ値検出手段からの出力に基づいて上記レーザ駆動手段に与えるレーザ駆動パワーを制御することを特徴とする。
また、本発明に係るデータ記録装置は、複数のサブコードフレームで構成されるパーティションを複数有して成る試し書き領域を有する光学的記録媒体に対してレーザビームを照射するレーザ照射手段と、上記レーザ照射手段を駆動するレーザ駆動手段と、上記レーザ照射手段を上記光学的記録媒体に対して相対的に移動させる移動手段と、上記レーザ照射手段により、上記試し書き領域内の複数のサブコードフレームから成り、上記試し書き領域内の上記複数のパーティションをそれぞれ複数に分割して規定されるサブパーティションから成る１パーティションの各サブパーティション内において、上記サブコードフレーム単位内で異なる複数のレーザ駆動パワーで試し書きデータを記録するように上記レーザ駆動手段及び上記移動手段を制御する制御手段とを備えることを特徴とする。
また、上記光学的記録媒体は、さらに上記試し書き領域の複数のパーティションにそれぞれ対応する複数のサブ領域から成るカウント領域を備え、上記制御手段は、上記試し書き領域内のあるパーティション内に少しでも試し書きデータが記録される際には、上記試し書きデータが記録されるパーティションに対応する上記カウント領域内のサブ領域に、上記パーティションが使用済みであることを示す識別データを記録するように上記レーザ駆動手段及び上記移動手段を制御することを特徴とする。
また、上記光学的記録媒体から反射されたレーザビームを受光する受光手段と、上記受光手段からの出力に応じて、上記カウント領域の識別データの記録の有無を検出する検出手段とをさらに有し、上記制御手段は、上記検出手段からの検出結果に基づいて、上記試し書き領域の未記録であるサブパーティションに試し書きデータを記録するように上記レーザ駆動手段及び上記移動手段を制御することを特徴とする。
また、上記制御手段は、上記試し書き領域内のあるサブコードフレームへの試し書きデータの記録に先立って、上記検出手段により、上記サブコードフレームを含むパーティションに対応する上記カウント領域内のサブ領域に識別データが記録されているか否かを検出させ、上記サブ領域に識別データが記録されていない際には、試し書きデータが記録されるサブコードフレームを含むパーティションに対応するカウント領域内のサブ領域に識別データを記録するように上記レーザ駆動手段及び上記移動手段を制御することを特徴とする。
また、上記カウント領域内のサブ領域の識別データの記録状態を検出し、上記検出した記録状態に基づいて上記試し書き領域のパーティション内のサブパーティションの使用状況を検出して、上記検出したサブパーティションの使用状況を記憶する記憶手段を備えることを特徴とする。
また、上記光学的記録媒体から反射されたレーザビームを受光する受光手段と、上記受光手段からの出力に基づいて、上記光学的記録媒体に所定単位毎に記録されている同期信号及び上記光学的記録媒体に記録されているデータを再生する再生手段とをさらに有し、上記制御手段は、上記再生手段からの出力に基づいて、連続する２つの同期信号の間隔の略1/N（Ｎは２以上の整数）の間隔で、レーザ駆動パワーが段階的に変化するように上記レーザ駆動手段を制御することを特徴とする。
また、上記光学的記録媒体から反射されたレーザビームを受光する受光手段と、上記受光手段からの上記試し書き領域に記録された試し書きデータの出力に基づいて、上記試し書きデータのアシンメトリ値を検出するアシンメトリ検出手段とをさらに有し、上記制御手段は、上記光学的記録媒体にデータを記録する際には、上記アシンメトリ値検出手段からの出力に基づいて上記レーザ駆動手段に与えるレーザ駆動パワーを制御することを特徴とする。
また、本発明に係るデータ記録装置は、複数のサブコードフレームで構成されるパーティションを複数有して成る試し書き領域を有する光学的記録媒体に対してレーザビームを照射するレーザ照射手段と、上記レーザ照射手段を駆動するレーザ駆動手段と、上記レーザ照射手段を上記光学的記録媒体に対して相対的に移動させる移動手段と、上記レーザ照射手段により、上記試し書き領域内の複数のサブコードフレームから成り、上記試し書き領域内の上記複数のパーティションをそれぞれ複数に分割して規定されるサブパーティションから成る１パーティションの各サブパーティション内において、上記サブコードフレーム単位内で異なる複数のレーザ駆動パワーで試し書きデータを記録するように上記レーザ駆動手段及び上記移動手段を制御する制御手段と、上記光学的記録媒体から反射されたレーザビームを受光する受光手段と、上記受光手段からの出力に基づいて、上記光学的記録媒体に所定単位毎に記録されている同期信号及び上記光学的記録媒体に記録されているデータを再生する再生手段とを有し、上記制御手段は、上記再生手段からの出力に基づいて、連続する２つの同期信号の間隔の略1/N（Ｎは２以上の整数）の間隔で、レーザ駆動パワーが段階的に変化するように上記レーザ駆動手段を制御することを特徴とする。
また、上記光学的記録媒体は、さらに上記試し書き領域の複数の分割領域にそれぞれ対応する複数のサブ領域から成るカウント領域を備え、上記制御手段は、上記試し書き領域内にある分割領域内に少しでも試し書きデータが記録される際には、上記試し書きデータが記録される分割領域に対応する上記カウント領域内のサブ領域に、上記分割領域が使用済みであることを示す識別データを記録するように上記レーザ駆動手段及び上記移動手段を制御することを特徴とする。
また、上記カウント領域を構成する各サブ領域は、上記試し書き領域の１サブ領域分の領域であることを特徴とする。
また、上記受光手段からの出力に応じて、上記カウント領域の識別データの記録の有無を検出する検出手段とをさらに有し、上記制御手段は、上記試し書き領域内のあるサブ領域への試し書きデータの記録に先立って、上記検出手段により、上記サブ領域を含む分割領域に対応する上記カウント領域内のサブ領域に識別データが記録されているか否かを検出させ、上記サブ領域に識別データが記録されていない際には、試し書きデータか記録されるサブ領域を含む分割領域に対応するカウント領域内のサブ領域に識別データを記録するように上記レーザ駆動手段及び上記移動手段を制御することを特徴とする。
また、上記受光手段からの上記試し書き領域に記録された試し書きデータの出力に基づいて、上記試し書きデータのアシンメトリ値を検出するアシンメトリ検出手段とをさらに有し、上記制御手段は、上記光学的記録媒体にデータを記録する際には、上記アシンメトリ値検出手段からの出力に基づいて上記レーザ駆動手段に与えるレーザ駆動パワーを制御することを特徴とする。
【図面の簡単な説明】
図１は、光ディスクの記録フォーマットを概略的に示す図である。
図２は、光ディスクの記録フォーマットを具体的に示す図である。
図３は、パワー制御領域を具体的に説明するための図である。
図４は、従来のOPC動作時の各サブコードフレームに対するレーザ駆動パワーの出力を示す図である。
図５は、データの記録時及び再生時の各信号波形等を示す図である。
図６は、RF信号のアシンメトリ値を示す図である。
図７は、本発明に係るデータ記録装置の概略的な構成図である。
図８は、ATIPフレームのフォーマットを示す図である。
図９は、RF検出回路の概略的な構成を示す図である。
図10は、RF検出回路の動作を説明するためのタイミングチャートである。
図11は、データ記録動作の手順のフローチャートである。
図12は、パケットデータのフォーマットを示す図である。
図13は、準備動作の手順のフローチャートである。
図14は、OPC動作の手順のフローチャートである。
図15は、OPC書き込み動作の手順のフローチャートである。
図16は、OPC動作時の各サブコードフレームに対するレーザ駆動パワーの出力を示す図である。
図17は、OPC測定動作の手順のフローチャートである。
発明を実施するための最良の形態
以下、本発明に係るデータ記録装置の一実施例について、図面を参照しながら説明する。
図７には、データ記録装置の概略的な構成図を示す。このデータ記録装置は、光学的記録媒体である光ディスク７にデータ信号を記録するデータ記録装置であって、光ディスク７に対してレーザビームを照射するレーザ照射手段であるレーザダイオード１と、上記レーザダイオード１を駆動するレーザ駆動手段であるレーザ変調回路29と、上記レーザダイオード１を光ディスク７に対して相対的に移動させる移動手段であるスレッド機構44と、上記光ディスク７から反射されたレーザビームを受光する受光手段であるフォトディテクタ９と、上記フォトディテクタ９からの出力に応じて、カウント領域の識別データの記録の有無を検出する検出手段であるRF検出回路46と、上記フォトディテクタ９からの出力に基づいて、上記光ディスク７に所定単位毎に記録されている同期信号及び上記光ディスク７に記録されているデータを再生する再生手段と、上記フォトディテクタ９からの試し書き領域に記録された試し書きデータの出力に基づいて、上記試し書きデータのアシンメトリ値を検出するアシンメトリ検出手段であるアシンメトリ検出回路46と、上記レーザダイオード１により、上記光ディスク７内の複数のサブコードフレームから成る試し書き領域の各サブコードフレーム内で、異なる複数のレーザ駆動パワーで試し書きデータが記録されるように、上記レーザ変調回路29及び上記スレッド機構44を制御するCPU24とを備えるものである。
図７において、レーザダイオード１から出射されるレーザ光は、コリメーションレンズ２で平行光とされ、グレーティング３及びビームスプリッタ４を介して対物レンズ６に導かれ、この対物レンズ６によって光ディスク７上に集光される。
また、上記ビームスプリッタ４に入射された光ビームの一部は、このビームスプリッタ４によって分離されて、レーザモニタ５に入射される。このレーザモニタ５に入射された光ビームは、光電変換されて、光量に応じた電流値が得られる。この電流値は、モニタヘッドアンプ30に送られて電圧値に変換され、さらに自動パワー制御（APC）回路31に送られる。
このAPC回路31は、上記モニタヘッドアンプ30からの信号を用いて、上記レーザダイオード１からのレーザ光の出射光量が温度等の外因に影響されずに一定となるように制御を行うものである。このAPC回路31からの制御信号はレーザ変調回路29に送られる。このレーザ変調回路29は、上記APC回路31からの制御信号に基づいたレーザ駆動パワーで、レーザダイオード１を駆動する。
上記光ディスク７上に照射されたレーザビームの反射光は、対物レンズ６を介してビームスプリッタ４に入射される。このビームスプリッタ４では上記反射光をマルチレンズ８に導く。このマルチレンズ８は円筒レンズ及び集光レンズ等から成り、上記反射光をフォトディテクタ９上に集光させる。
上記フォトディテクタ９からの出力はヘッドアンプ10によって電圧値に変換され、マトリックス回路11に出力される。このマトリックス回路11では、上記ヘッドアンプ10からの出力の加減算を行うことにより、トラッキングエラー信号TE、フォーカスエラー信号FE、及びプッシュプル信号PPが生成される。上記トラッキングエラー信号TE及びフォーカスエラー信号FEは、位相補償回路12、13にそれぞれ送られる。
位相補償回路12で位相が調整されたトラッキングエラー信号TEはドライブ回路14に送られる。このドライブ回路14は、上記位相補償回路12からのトラッキングエラー信号TEに基づいてトラッキングアクチュエータ16を動作させる。これにより、上記対物レンズ６の上記光ディスク７に対するトラッキング制御がなされる。
また、位相補償回路13で位相が調整されたフォーカスエラー信号FEはドライブ回路15に送られる。このドライブ回路15は、上記位相補償回路13からのフォーカスエラー信号FEに基づいてフォーカスアクチュエータ17を動作させる。これにより、上記対物レンズ６の上記光ディスク７に対するフォーカス制御がなされる。
また、上記トラッキングエラー信号TEの低域成分は、スレッド位相補償回路32に送られて位相補償され、ドライブ回路33に送られる。このドライブ回路33では、上記スレッド位相補償回路32からの信号を用いてスレッドモータ34を駆動させることにより、スレッド機構44の位置が移動制御される。
上記マトリックス回路11から出力されるプッシュプル信号PPは、ウォブル検出回路21に出力される。このウォブル検出回路21では、光ディスク７の物理トラックに沿って予め形成されているウォブル信号が検出されて、ATIPデモジュレータ22に出力される。このATIPデモジュレータ22では、ウォブル信号からATIP情報及びATIP読み出しクロック信号が検出される。
このATIP情報は、上述のように、光ディスク７上に予め記録されている絶対番地情報信号から得られる時間であり、基準の線速度で1/75秒分のサブコードフレームと等しい長さのフレーム単位で構成されている。このフレームはATIPフレームと呼ばれ、図８に示すフォーマットを持つものである。具体的には、このATIPフレームは、４ビットの同期信号、いわゆるシンクSYNCと、各８ビットの分MIN、秒SEC、フレーム番号FMと、14ビットの誤り検出符号CRCとから構成される。また、上記分MIN、秒SEC、及びフレーム番号FMは、２進数で表され、それぞれの最上位ビット（MSB）、即ちビット５、ビット13、ビット21の組合わせによって様々な情報を示す。
上記ATIP情報及びATIP読み出しクロック信号はATIPデコーダ23に送られる。このATIPデコーダ23では、ATIP情報及びATIP読み出しクロック信号を用いてアドレス情報が再生される。このアドレス情報は、上記CPU24に供給される。
上述ウォブル検出回路21で検出されたウォブル信号とATIPデモジュレータ22で検出されたATIP読み出しクロック信号とは、スピンドルサーボ回路25にも出力される。このスピンドルサーボ回路25は、上記ウォブル信号とATIP読み出しクロック信号とを用いてモータドライバ26を介してスピンドルモータ27を駆動する。このとき、スピンドルサーボ回路25は、上記ウォブル検出回路21で検出されるウォブル信号が22.05kHzの一定周波数になるように制御を行うか、もしくは上記ATIPモジュレータ22から出力されるATIP読み出しクロック信号が6.35kHzの一定周波数になるように制御を行う。
上記マトリックス回路11から出力されるRF信号は、２値化回路18に送られて２値化され、２値化信号としてPLL回路19に送られる。このPLL回路19では、上記２値化信号からクロック信号が生成され、このクロック信号は２値化信号と共にデコーダ回路20に送られる。このデコーダ回路20では、上記クロック信号に基づいて上記２値化信号をデコードする。これにより、データ信号及びサブコードが再生される。再生されたデータ信号は出力端子42から出力される。また、上記サブコードはCPU24に送られる。
また、上記PLL回路19で再生されたクロック信号は、スピンドルサーボ回路25に入力されて基準クロック信号と比較される。そして、この比較出力は、回転誤差信号としてモータドライバ26に送られる。このモータドライバ26では、上記回転誤差信号に基づいてスピンドルモータ27の駆動を制御する。
尚、上述した動作は、光ディスク７からのデータの再生時及び光ディスク７へのデータの記録時に、共に行われる。
また、光ディスク７へのデータの記録時には、RF検出回路45で、光ディスク７上の所定の領域のデータを再生することによりマトリックス回路11から出力されるRF信号に基づいて、光ディスク７にデータが記録されているか否かを検出し、この検出信号をCPU24に供給する。
ここで、RF検出回路45の概略的な構成の一実施例を図９に示し、また、このRF検出回路45における各信号のタイミングチャートを図10に示して、RF検出回路45の動作について説明する。
図10のＡに示すように、データが記録されている記録領域から再生されたRF信号は信号レベルが変化しているが、未記録領域から再生されたRF信号は信号レベルがほぼ一定となっている。このRF信号は、図９に示すハイパスフィルタ（HPF）55を介すことにより、０レベルを中心とする図10のＢに示すような信号となる。このHPF55からの出力信号は、コンパレータ56に入力される。
このコンパレータ56では、所定のスライスレベルで上記出力信号をスライスする。これにより、図10のＣに示すように、記録領域では周期3T〜11Tのパルス幅の信号に応じた'0'及び'1'の２値化信号となり、未記録領域ではパルス幅が周期11Tより長くなり、常に'1'となる出力信号が得られる。この出力信号は、パルス幅検出回路57に入力される。
このパルス幅検出回路57からは、上述２値化信号のパルス幅が周期11Tより短いときには、記録領域からの再生信号であることを示す'1'となり、上記２値化信号のパルス幅が周期11Tより長いときには、未記録領域からの再生信号であることを示す'0'となる検出信号が出力される。この検出信号は、図10のＤに示すものである。
このデータ記録装置におけるデータ記録動作では、１回のOPC動作について、試し書き領域TA内の１パーティションを複数分割して成る１サブパーティションを用いる。
このデータ記録動作の具体的な実施例について、図11に示すフローチャートを用いて、以下に具体的に説明する。尚、この実施例においては、１回のOPC動作について、試し書き領域の15サブコードフレームから成る１パーティションを３分割した、５サブコードフレームから成るサブパーティションを用いることとする。これにより、最大300回のOPC動作を行うことができる。
先ず、ホストコンピュータ（図示せず）からのコマンドや、このデータ記録装置に接続された入力装置等からのコマンド等に基づいて、ステップS1で、光ディスク７にデータを記録するに先立って、後述する準備動作を行う。この後、ステップS2で、詳細には後述するOPC動作を行い、ステップS3で記録用の最適レーザ駆動パワーが求められたか否かを判別する。このステップS3で，最適レーザ駆動パワーが求められたと判別されたならば、ステップS4で、CPU24は、最適レーザ駆動パワーとなるようにAPC回路31を制御し、データの記録を行う。
このデータ記録時には、スイッチ35は端子ａ側に切り換えられて信号入力端子43に接続されており、この信号入力端子43からは記録用のデータが入力される。この入力された記録用のデータは、スイッチ35を介してデータエンコーダ28でエンコードされ、レーザ変調回路29に送られる。レーザ変調回路29では、APC回路31からの制御信号に基づいたレーザ駆動パワーでレーザダイオード１を駆動することにより、データの記録が行われる。
尚、このデータ記録装置において、トラック内追記動作、即ちパケットレコーディングによって記録されるパケットデータのフォーマットを図12に示す。この図12に示す１パケット分のデータは、データの中断及び開始を示す１サブコードフレーム分のリンクブロックLB,データの読み出しを補償するための４サブコードフレーム分のランイン（Run−in）ブロックRIB1、RIB2、RIB3、RIB4、音楽データ等が記録されるユーザデータブロックUDB、及びユーザデータブロックUDBの領域に遅れて記録されるデータを補償するための２サブコードフレーム分のランアウト（Run−out）ブロックROB1、ROB2から成る。
また、図11のステップS3で、記録用の最適レーザ駆動パワーが求められていないと判別されたならば、ステップS2に戻り、再びOPC動作を行い、ステップS3で記録用の最適レーザ駆動パワーが求められたか否かを判別する。ステップS2及びステップS3の動作は、最適レーザ駆動パワーが求められるまで行う。
次に、準備動作の具体的な手順のフローチャートを図13に示す。
先ず、図13のステップS11で、CPU24は、光ディスク７に記憶されている推奨レーザ駆動パワーの値を読み出してメモリ47に記憶する。即ち、CPU24は、ドライブ回路33に制御信号を送ることにより、スレッドモータ34を制御し、スレッド機構44を駆動して、光ピックアップ40を光ディスク７の半径方向に移動させる。これにより、光ピックアップ40はリードイン領域LIに移動される。また、CPU24は、APC回路31に制御信号を送ることにより、再生用のレーザ駆動パワーでレーザダイオード１が駆動され、光ピックアップ40によってATIPフレームのデータが再生される。データ記録時の推奨レーザ駆動パワーの値は、ATIPフレームの分MIN、秒SEC、及びフレーム番号FMのMSBの組み合わせが'1、０、1'であるときの、分MIN内のピット６〜８の値によって示されるものであり、この値を読み出してメモリ47内に記憶する。
そして、ステップS12で、CPU24の制御によって、光ピックアップ40をカウント領域CAに移動し、カウント領域CA内の各サブ領域、即ち各パーティションの識別データの記録状態を検出することにより、上記カウント領域CAの各パーティションに対応する試し書き領域TA内の各パーティションの使用状態を検出する。具体的には、試し書き領域TA内の前回使用されて試し書きデータが記録されているパーティションを検出する。
さらに、ステップS13で、CPU24は、上記検出した試し書き領域TAのパーティション内のサブパーティションの使用状況を検出する。尚、今回のデータ記録動作が最初のデータ記録動作であるときには、カウント領域CAには識別データは記録されていないので、試し書き領域TA内のパーティションの使用状態及びサブパーティションの使用状況の検出は行われない。
そして、ステップS14で、CPU24は、上記検出したサブパーティションの使用状況をメモリ47に記憶すると共に、試し書き領域TA内のサブパーティションの使用状況を初期化する。
このようにして準備動作を行った後に、OPC動作を行う。
OPC動作の具体的な動作の手順のフローチャートを図14に示す。
先ず、図14のステップS21で、CPU24は、メモリ47に記憶されているサブパーティションの使用状況を読み出し、OPC動作に用いるサブパーティションを決定する。
次に、ステップS22で、メモリ47に記憶されている推奨レーザ駆動パワーと前回のデータ録時のOPC動作の結果とにより、OPC動作に用いる各段階の記録用のレーザ駆動パワーを決定する。尚、最初のデータ記録動作であるならば、上記推奨レーザ駆動パワーのみによって各段階のレーザ駆動パワーを決定する。
ここで、従来のOPC動作においては、１パーティション内の各サブコードフレーム毎にレーザ駆動パワーを変化させて試し書きデータの試し書きを行っており、15段階の記録信号のアシンメトリ値を測定することができる。しかし、サブパーティションを利用したOPC動作においては、１サブパーティションは５サブコードフレームから成るので、１サブコードフレーム毎にレーザ駆動パワーを変化させたのでは、５段階の記録信号のアシンメトリ値しか測定することができない。そこで、１サブコードフレーム内においてもレーザ駆動パワーを変化させて、５段階以上のレーザ駆動パワーを用いて試し書きデータの記録を行うこととする。即ち、例えば１サブコードフレームに対してレーザ駆動パワーを２段階に変化させて試し書きデータの記録を行う場合には、10段階の記録用のレーザ駆動パワーを決定することとなる。
このように、例えば10段階の記録用のレーザ駆動パワーが決定された後には、ステップS23で、CPU24の制御により、試し書きを行うための目的のサブパーティションの直前のサブコードフレームに光ピックアップ40を移動させる。そして、ステップS24で、目的のサブパーティションのOPC書き込み動作を行う。
このOPC書き込み動作の具体的な手順のフローチャートを、図15に示す。
この図15に示すOPC書き込み動作では、先ず、ステップS31で、変数ｎに１を代入する。そして、ステップS32で、CPU24は、ATIPフレームのシンクSYNC,いわゆるATIPシンクの入力を待つ。ATIPシンクの入力を検出したならば、ステップS33で、タイマを起動する。そして、ステップS34で、CPU24からの制御によって、スイッチ35を端子ｂ側に切り換えてメモリ36と接続し、メモリ36に記憶されている試し書きデータを読み出す。この試し書きデータは、データエンコーダ28を介してレーザ変調回路29に送られる。また、CPU24からの制御によって、APC回路31を制御し、１段階目の記録用のレーザ駆動パワーをレーザダイオード１から出射するように駆動する。これにより、ランダムデータである試し書きデータを、１番目のサブコードフレームの最初の1/2サブコードフレーム分の領域分に記録する。
この後、ステップS35で、変数ｎに１を加えて２とし、ステップS36で、タイマが1/2サブコードフレーム分の時間を示すまで待つ。そして、CPU24は、タイマが1/2サブコードフレーム分の時間の経過を示したことを検出したならば、ステップS37で、メモリ36に記憶されている試し書きデータを読み出してレーザ変調回路29に送り、APC回路31を制御して、２段階目の記録用のレーザ駆動パワーをレーザダイオード１から出射するように駆動する。これにより、１段階目のレーザ駆動パワーによって1/2サブコードフレーム分の領域に記録された試し書きデータに続けて、２段階目のレーザ駆動パワーによって残りの1/2サブコードフレーム分の領域に試し書きデータが記録される。
この後、ステップS39において、変数ｎが10以上であるか否かを判別する。２段階目のレーザ駆動パワーによる試し書きデータの記録が行われた段階では、変数ｎは10以上ではないと判別されるので、ステップS32に戻り、次のATIPフレームのATIPシンクの入力を待つ。ATIPシンクは、サブコードフレームの長さと同じ1/75秒毎に出力されるので、次のATIPフレームのATIPシンクを検出することにより、サブコードフレームの終了を検出することができる。CPU24は、ATIPシンクが入力されたことを検出したならば、２段階目の記録用のレーザ駆動パワーの出射を止め、タイマをリセットする。
この後、ステップS33でタイマを再び起動し、ステップS34で、CPU24の制御により、次の３段階目の記録用のレーザ駆動パワーが出射されて、２番目のサブコードフレームの最初の1/2サブコードフレーム分の領域に試し書きデータを記録する。
このように、ステップS39で変数ｎが10以上であると判別されるまで、ステップS32〜ステップS37までの処理を行い、記録用のレーザ駆動パワーを順次変化させた試し書きデータの記録を行う。これにより、図16に示すように、５サブコードフレームに対して、1/2サブコードフレーム毎に記録用のレーザ駆動パワーを変化させて、10段階のレーザ駆動パワーによる試し書きデータの記録を行うことができる。
この後、ステップS40で、CPU24は、レーザダイオード１から再生用のレーザ駆動パワーを出射するように制御を行う。
そして、図14のステップS25で、CPU24は、目的のサブパーティションの直前のサブコードフレームに光ピックアップ40を移動させ、ステップS26で、目的のサブパーティションのOPC測定動作を行う。
このOPC測定動作の具体的な手順のフローチャートを、図17に示す。
この図17に示すOPC測定動作では、先ず、ステップS41で、変数ｎに１を代入する。次に、ステップS42で、CPU24は、ATIPシンクの入力を待つ。ATIPシンクの入力を検出したならば、ステップS43で、タイマを起動する。そして、ステップS44で、１段階目の記録用のレーザ駆動パワーで試し書きデータが記録された領域において、記録用のレーザ駆動パワーが安定した状態で試し書きデータが記録された領域に光ピックアップ40が移動する時間まで待つ。この実施例においては、光ピックアップが1/6サブコードフレーム分の位置に移動するまでの時間が経過するまで待つ。
そして、CPU24が、タイマが1/6サブコードフレーム分の時間の経過を示したことを検出したならば、ステップS45で、１段階目の記録用のレーザ駆動パワーで記録された試し書きデータを連続して６回読み出すように制御する。例えば、１回のデータ読み出しに150μsecの時間がかかる場合には、６回のデータ読み出しでは900μsecの時間がかかることになる。
この読み出しにより、マトリックス回路11から６回分の読み出しデータのRF信号が出力される。これらのRF信号は、アシンメトリ検出回路46に出力される。このアシンメトリ検出回路46ではそれぞれのRF信号のアシンメトリ値を検出して、CPU24に送る。CPU24では、６回分の読み出しデータのアシンメトリ値の平均を取って、この平均値を１段階目のアシンメトリ値として設定する。
尚、上記アシンメトリ検出回路46としては、1/2サブコードフレーム毎に６回読み出されるデータのアシンメトリ値を、５サブコードフレーム分順次検出することができる高速なものでなければならない。
そして、ステップS46で変数ｎに１を加えて２とし、ステップS47で、タイマが1/2＋1/6サブコードフレーム分の時間の経過を示すまで待つ。CPU24は、タイマが1/2＋1/6サブコードフレーム分の時間の経過を示したことを検出したならば、光ピックアップ40を、２段階目の記録用のレーザ駆動パワーで試し書きデータが記録された1/2サブコードフレーム分の領域内の、1/6サブコードフレーム分の位置まで移動する。この後、ステップS48で、CPU24の制御によって、ステップS45と同様にして試し書きデータの読み出しを６回行い、それぞれのアシンメトリ値を検出して平均を取り、この平均値を２段階目のアシンメトリ値として設定する。
そして、ステップS49で変数ｎに１を加え、ステップS50で変数ｎが10以上であるか否かを判別する。２段階目のアシンメトリ値が設定された段階では変数ｎが10以上ではないと判別されるので、ステップS42に戻り、次のATIPフレームのATIPシンクを待つ。ATIPシンクは、サブコードフレームの長さと同じ1/75秒毎に出力されるので、次のATIPフレームのATIPシンクを検出することにより、サブコードフレームの終了を検出することができる。CPU24は、ATIPシンクが入力されたことを検出したならば、タイマをリセットする。
この後、ステップS43で再びタイマを起動し、ステップS44〜ステップS48までの処理を行って、２段階分のアシンメトリ値を設定する。
このように、ステップS50で、変数ｎが10以上であると判別されるまで、ステップS42〜ステップS48までの処理を行い、10段階分のアシンメトリ値を設定する。
この後、図14のステップS27で、CPU24は、10段階分のアシンメトリ値と、試し書きデータの記録時に用いた記録用のレーザ駆動パワーとから記録用の最適レーザ駆動パワーを決定する。具体的には、例えば10段階分のアシンメトリ値を用いて、＋10〜−10位内のアシンメトリ値と記録用のレーザ駆動パワーとの回帰直線を求め、この回帰直線から最適アシンメトリ値、例えば０％となるアシンメトリ値を得るための記録用のレーザ駆動パワーを最適レーザ駆動パワーとして決定する。このように、記録用のレーザ駆動パワーの各段階を補間することにより、OPC動作の精度を上げることができる。
そして、ステップS28で、OPC動作に使用したサブパーティションが、このサブパーティションを含むパーティション内で、内周側から１番目であるか否かを判別する。
上記サブパーティションが１番目のサブパーティションでないと判別されるならば、上記OPC動作に使用したサブパーティションを含む試し書き領域TA内のパーティションに対応するカウント領域CA内のパーティション、即ち１サブコードフレーム分には、試し書き領域TA内の対応するパーティションが使用済みであることを示す識別データが、既に記録されているので、ステップS30に進んで、メモリ47内のサブパーティションの使用状況を更新してOPC動作を終了する。
また、ステップS28の判別で、OPC動作に使用したサブパーティションが１番目のサブパーティションであると判別されるならば、ステップS29に進んで、CPU24の制御によって光ピックアップ40を、上記OPC動作に使用したサブパーティションを含む試し書き領域TA内のパーティションに対応するカウント領域CA内のパーティションに移動し、APC回路31を制御して、記録用の最適レーザ駆動パワーでレーザダイオード１を駆動することにより、ランダムデータを識別データとして記録する。
このように、試し書き領域TA内の１パーティションにおいて、１つのサブパーティションしか使用されていない場合であっても、この使用されたサブパーティションを含む、試し書き領域TA内のパーティションに対応するカウント領域CA内のパーティションに識別データを記録し、試し書き領域TA内のパーティションは使用済みであることを示すようにする。これによって、従来のOPC動作によってデータが記録された光ディスクと、本発明のデータ記録装置によるOPC動作によってデータが記録された光ディスクとの互換性を保つことができる。
尚、上記実施例においては、試し書き領域TAの１パーティションを３分割し、５サブコードフレームから成る１サブパーティションを用いた場合について説明しているが、１パーティションの分割数は３分割に限定されることはない。また、上記実施例では、１サブコードフレーム内で変化させるレーザ駆動パワーの段階数を２段階として説明しているが、この段階数も２段階に限定されることはない。
従って、他の実施例として、例えば試し書き領域TAの１パーティションを５分割して、１サブパーティションを３サブコードフレームから成るものとし、また、１サブコードフレーム内で変化される記録用のレーザ駆動パワーの段階数を３段階とする場合も考えられる。
この他の実施例のOPC書き込み動作においては、１サブコードフレームに対して、３段階の異なる記録用のレーザ駆動パワーで、それぞれ1/3サブコードフレーム分ずつ試し書きデータを記録することになるので、タイマによって1/3サブコードフレーム分の時間を示すまで待つようにし、また、変数ｎについては、９以上であるか否かを判別する。また、OPC測定動作においては、各1/3サブコードフレーム分の領域内で、1/6サブコードフレーム分の位置からデータの読み出しを行うようにする。即ち、１サブパーティション内において、１番目の記録用のレーザ駆動パワーによる試し書きデータの読み出しは1/18サブコードフレーム分の位置から行い、２番目の記録用のレーザ駆動パワーによる試し書きデータの読み出しは1/3＋1/18サブコードフレーム分の位置から行い、３番目の記録用のレーザ駆動パワーによる試し書きデータの読み出しは2/3＋1/18サブコードフレーム分の位置から行うようにする。
この他の実施例においては、最大500回のOPC動作を行うことができる。また、１回のOPC動作においては、９段階の異なる記録用のレーザ駆動パワーで試し書きデータを記録するので、最適アシンメトリ値を得るために必要なアシンメトリ値の数を得ることは可能となる。
以上のように構成して、光ディスク上の試し書き領域内のパーティションを複数のサブパーティションに分割し、このサブパーティションを構成する各サブコードフレーム内で、異なる複数の記録用のレーザ駆動パワーで試し書きデータを記録し、この複数のレーザ駆動パワーで記録された各データを再生して得られたアシンメトリ値の平均値から記録用の最適レーザ駆動パワーを求めることにより、従来のOPC動作の最大回数である100回以上の回数分のOPC動作を行うことができるので、従来のデータ記録動作の最大回数、即ち100回以上のデータ記録動作を行った場合にも、記録データの品質を保つことができる。特に、パケットレコーディングにおいては、データ記録動作の回数が100回以上となる場合があるので、このときの記録データの品質を保つことが可能となる。また、正確な記録用のレーザ駆動パワーを求めることができる。
【図１】
0003581368.tif 000003
【図２】
0003581368.tif 000004
【図３】
0003581368.tif 000005
【図４】
0003581368.tif 000006
【図９】
0003581368.tif 000007
【図５】
0003581368.tif 000008
【図６】
0003581368.tif 000009
【図７】
0003581368.tif 000010
【図８】
0003581368.tif 000011
【図１１】
0003581368.tif 000012
【図１０】
0003581368.tif 000013
【図１２】
0003581368.tif 000014
【図１３】
0003581368.tif 000015
【図１４】
0003581368.tif 000016
【図１５】
0003581368.tif 000017
【図１６】
0003581368.tif 000018
【図１７】
0003581368.tif 000019